(57)【要約】【課題】利用者の負担なく、宅内ネットワークに接続される宅内機器と宅外ネットワークに接続される宅外装置とを容易に接続することを課題とする。【解決手段】このシステムは、宅内ネットワークと、インターネットと、ＶｏＩＰ網により様々な装置が接続されて構成される。宅内ネットワークは、特番サービス処理装置と、電話機と、ＷｅｂＴＶと、ＨＧＷとから構成される。このような構成のもと、特番サービス処理装置は、テンキーで表現される特定の番号に対応付けて、宅内装置と宅外装置との通信を制御するための制御情報を記憶し、テンキーを備えた宅内装置からダイアル信号を受け付けた場合に、当該ダイアル信号が、記憶された特定の番号であるか否かを判定し、特定の番号であると判定された場合に、記憶された制御情報のなかから当該特定の番号に対応付けられた制御情報を取得し、当該制御情報を用いて宅内装置と宅外装置との通信を制御する。【選択図】        図１
2008085667.tif 000002
【特許請求の範囲】
【請求項１】
宅内ネットワークに接続される宅内装置と宅外ネットワークに接続される宅外装置とを通信可能に接続された通信装置であって、
テンキーを備えた宅内テンキー装置からダイアル信号を受け付けた場合に、前記テンキーで表現される特定の番号に対応付けて、所定の宅内装置と所定の宅外装置との通信を制御するための制御情報を記憶する特番制御情報記憶手段を参照し、当該ダイアル信号が、前記特番制御情報記憶手段に記憶された特定の番号であるか否かを判定する特番判定手段と、
前記特番判定手段により前記特定の番号であると判定された場合に、前記特番制御情報記憶手段に記憶された制御情報の中から当該特定の番号に対応付けられた制御情報を取得し、当該制御情報を用いて前記所定の宅内装置と所定の宅外装置との通信を制御する通信制御手段と、
を備えたことを特徴とする通信装置。
【請求項２】
前記特番制御情報記憶手段は、前記宅外ネットワークに接続されるものであって、
前記特番判定手段は、前記宅内テンキー装置からダイアル信号を受け付けた場合に、前記宅外ネットワークを介して前記特番制御情報手段に接続し、当該ダイアル信号が、前記特番制御情報記憶手段に記憶された特定の番号であるか否かを判定することを特徴とする請求項１に記載の通信装置。
【請求項３】
前記特番制御情報記憶手段は、前記テンキーで表現される特定の番号に対応付けて、所定の宅内装置と所定の宅外装置との接続関係を示す接続先情報を記憶するものであって、
前記通信制御手段は、前記特番判定手段により前記特定の番号であると判定された場合に、特番制御情報記憶手段に記憶された接続先情報のなかから当該特定の番号に対応付けられた接続先情報を取得し、当該接続先情報を用いて前記所定の宅内装置と所定の宅外装置とを接続することを特徴とする請求項１または２に記載の通信装置。
【請求項４】
前記特番制御情報記憶手段は、前記テンキーで表現される特定の番号に対応付けて、前記宅内装置と前記宅外装置との間で実行される通信内容を記憶するものであって、
前記通信制御手段は、前記特番判定手段により前記特定の番号であると判定された場合に、特番制御情報記憶手段に記憶された通信内容のなかから当該特定の番号に対応付けられた通信内容を取得し、当該通信内容を用いて前記所定の宅内装置と所定の宅外装置との間で通信サービスを実行することを特徴とする請求項１または２に記載の通信装置。
【請求項５】
前記所定の宅内装置は、起動時の接続先として他の別の装置に設定されているものであって、
前記通信制御手段は、前記所定の宅内装置と所定の宅外装置とを接続する際に、前記別の装置に前記所定の宅外装置のアドレス情報を設定することを特徴とする請求項３に記載の通信装置。
【請求項６】
前記特定の番号の入力を受け付けるテンキーを備えた特番入力受付手段をさらに備え、
前記通信制御手段は、前記特番入力受付手段により前記特定の番号を受け付けた場合に、前記特番制御情報記憶手段に記憶された制御情報のなかから当該特定の番号に対応付けられた制御情報を取得し、当該制御情報を用いて前記所定の宅内装置と所定の宅外装置との通信を制御することを特徴とする請求項１〜５のいずれか一つに記載の通信装置。
【請求項７】
前記特番制御情報記憶手段に記憶される予め定めた特定の番号と、前記特番制御情報記憶手段に記憶された当該特定の番号に対応付けられた制御情報とを、音声により読み上げる音声出力部をさらに備えたことを特徴とする請求項１〜６のいずれか一つに記載の通信装置。
【請求項８】
宅内ネットワークに接続される宅内装置と宅外ネットワークに接続される宅外装置とを通信可能に接続されることに適した通信方法であって、
テンキーで表現される特定の番号に対応付けて、所定の宅内装置と所定の宅外装置との通信を制御するための制御情報を記憶する特番制御情報記憶手段に接続されたテンキーを備えた宅内テンキー装置からダイアル信号を受け付けた場合に、当該ダイアル信号が、前記特番制御情報記憶手段に記憶された特定の番号であるか否かを判定する特番判定工程と、
前記特番判定工程により前記特定の番号であると判定された場合に、前記特番制御情報記憶手段に記憶された制御情報のなかから当該特定の番号に対応付けられた制御情報を取得し、当該制御情報を用いて前記所定の宅内装置と所定の宅外装置との通信を制御する通信制御工程と、
を含んだことを特徴とする通信方法。
【請求項９】
宅内ネットワークに接続される宅内装置と宅外ネットワークに接続される宅外装置とを通信可能に接続されることをコンピュータに実行させる通信プログラムであって、
テンキーで表現される特定の番号に対応付けて、所定の宅内装置と所定の宅外装置との通信を制御するための制御情報を記憶する特番制御情報記憶手段に接続されたテンキーを備えた宅内テンキー装置からダイアル信号を受け付けた場合に、当該ダイアル信号が、前記特番制御情報記憶手段に記憶された特定の番号であるか否かを判定する特番判定手順と、
前記特番判定手順により前記特定の番号であると判定された場合に、前記特番制御情報記憶手段に記憶された制御情報のなかから当該特定の番号に対応付けられた制御情報を取得し、当該制御情報を用いて前記所定の宅内装置と所定の宅外装置との通信を制御する通信制御手順と、
をコンピュータに実行させることを特徴とする通信プログラム。
【発明の詳細な説明】
【技術分野】
【０００１】
この発明は、宅内ネットワークに接続される宅内装置と宅外ネットワークに接続される宅外装置とを通信可能に接続する通信装置、通信方法および通信プログラムに関する。
【背景技術】
【０００２】
従来より、家庭内の情報化が進む中で、ＰＣ（Ｐｅｒｓｏｎａｌ  Ｃｏｍｐｕｔｅｒ）や高度な機能を持った情報家電が普及してきている。これらの情報家電は、ＩＰ（Ｉｎｔｅｒｎｅｔ  Ｐｒｏｔｏｃｏｌ）などを通信手段としたＷｅｂブラウジングや音楽・動画視聴、コンテンツダウンロードなど、多くのサービスを利用することができる。
【０００３】
一般的には、このようなサービスを利用できるＷｅｂＴＶなどの情報家電は、利用者によりリモコンからＷＥＢブラウザのアドレス欄にＵＲＬ（Ｕｎｉｆｏｒｍ  Ｒｅｓｏｕｒｃｅ  Ｌｏｃａｔｏｒ）が入力されて、インターネットに接続されることで、音楽・動画視聴、コンテンツダウンロードなどのサービスを利用する。そこで、このようにインターネット接続する際やＵＲＬを入力する際に、利用者の負担を軽減する様々な技術が開示されている。
【０００４】
例えば、ＵＲＬの入力負荷を軽減する技術として、わかりにくく、覚えにくい英語やアルファベットを入力する代わりに、わかりやすく、覚えやすい日本語を入力することができる日本語ＵＲＬ（非特許文献１参照）や電話番号を入力する技術（非特許文献２参照）などがある。
【０００５】
【非特許文献１】米谷  嘉朗  著、“じっくり理解を深めるネットワーク教養講座第１４回―日本語ドメイン名の今―”、日経ＮＥＴＷＯＲＫ、２００４年５月号、ｐ１５８〜ｐ１６１
【非特許文献２】“（語録）電話番号でＷｅｂアドレス表記”、日経コミニュケーションズ、２００１年３月１日、ｐ７５
【発明の開示】
【発明が解決しようとする課題】
【０００６】
ところで、上記した従来の技術は、宅内ネットワークに接続される宅内機器（例えば、Ｗｅｂなど）と、各種サービスを提供する宅外ネットワークに接続される宅外装置とを接続する場合、普段からＷｅｂなどを利用しない利用者にとって、日本語や電話番号であっても、リモコンでＵＲＬを入力する操作は困難であり、利用者の負担が大きいという課題があった。
【０００７】
そこで、この発明は、上述した従来技術の課題を解決するためになされたものであり、利用者の負担なく、宅内ネットワークに接続される宅内機器と宅外ネットワークに接続される宅外装置とを容易に接続することが可能である通信装置、通信方法および通信プログラムを提供することを目的とする。
【課題を解決するための手段】
【０００８】
上述した課題を解決し、目的を達成するため、請求項１に係る発明は、宅内ネットワークに接続される宅内装置と宅外ネットワークに接続される宅外装置とを通信可能に接続された通信装置であって、テンキーを備えた宅内テンキー装置からダイアル信号を受け付けた場合に、前記テンキーで表現される特定の番号に対応付けて、所定の宅内装置と所定の宅外装置との通信を制御するための制御情報を記憶する特番制御情報記憶手段を参照し、当該ダイアル信号が、前記特番制御情報記憶手段に記憶された特定の番号であるか否かを判定する特番判定手段と、前記特番判定手段により前記特定の番号であると判定された場合に、前記特番制御情報記憶手段に記憶された制御情報の中から当該特定の番号に対応付けられた制御情報を取得し、当該制御情報を用いて前記所定の宅内装置と所定の宅外装置との通信を制御する通信制御手段と、を備えたことを特徴とする。
【０００９】
また、請求項２に係る発明は、上記の発明において、前記特番制御情報記憶手段は、前記宅外ネットワークに接続されるものであって、前記特番判定手段は、前記宅内テンキー装置からダイアル信号を受け付けた場合に、前記宅外ネットワークを介して前記特番制御情報手段に接続し、当該ダイアル信号が、前記特番制御情報記憶手段に記憶された特定の番号であるか否かを判定することを特徴とする。
【００１０】
また、請求項３に係る発明は、上記の発明において、前記特番制御情報記憶手段は、前記テンキーで表現される特定の番号に対応付けて、所定の宅内装置と所定の宅外装置との接続関係を示す接続先情報を記憶するものであって、前記通信制御手段は、前記特番判定手段により前記特定の番号であると判定された場合に、特番制御情報記憶手段に記憶された接続先情報のなかから当該特定の番号に対応付けられた接続先情報を取得し、当該接続先情報を用いて前記所定の宅内装置と所定の宅外装置とを接続することを特徴とする。
【００１１】
また、請求項４に係る発明は、上記の発明において、前記特番制御情報記憶手段は、前記テンキーで表現される特定の番号に対応付けて、前記宅内装置と前記宅外装置との間で実行される通信内容を記憶するものであって、前記通信制御手段は、前記特番判定手段により前記特定の番号であると判定された場合に、特番制御情報記憶手段に記憶された通信内容のなかから当該特定の番号に対応付けられた通信内容を取得し、当該通信内容を用いて前記所定の宅内装置と所定の宅外装置との間で通信サービスを実行することを特徴とする。
【００１２】
また、請求項５に係る発明は、上記の発明において、前記所定の宅内装置は、起動時の接続先として他の別の装置に設定されているものであって、前記通信制御手段は、前記所定の宅内装置と所定の宅外装置とを接続する際に、前記別の装置に前記所定の宅外装置のアドレス情報を設定することを前記別の装置に対して指示することを特徴とする。
【００１３】
また、請求項６に係る発明は、上記の発明において、前記特定の番号の入力を受け付けるテンキーを備えた特番入力受付手段をさらに備え、前記通信制御手段は、前記特番入力受付手段により前記特定の番号を受け付けた場合に、前記特番制御情報記憶手段に記憶された制御情報のなかから当該特定の番号に対応付けられた制御情報を取得し、当該制御情報を用いて前記所定の宅内装置と所定の宅外装置との通信を制御することを特徴とする。
【００１４】
また、請求項７に係る発明は、上記の発明において、前記特番制御情報記憶手段に記憶される予め定めた特定の番号と、前記特番制御情報記憶手段に記憶された当該特定の番号に対応付けられた制御情報とを、音声により読み上げる音声出力部をさらに備えたことを特徴とする。
【００１５】
また、請求項８に係る発明は、宅内ネットワークに接続される宅内装置と宅外ネットワークに接続される宅外装置とを通信可能に接続されることに適した通信方法であって、テンキーで表現される特定の番号に対応付けて、所定の宅内装置と所定の宅外装置との通信を制御するための制御情報を記憶する特番制御情報記憶手段と、テンキーを備えた宅内装置からダイアル信号を受け付けた場合に、当該ダイアル信号が、前記特番制御情報記憶手段に記憶された特定の番号であるか否かを判定する特番判定工程と、前記特番判定工程により前記特定の番号であると判定された場合に、前記特番制御情報記憶手段に記憶された制御情報のなかから当該特定の番号に対応付けられた制御情報を取得し、当該制御情報を用いて前記所定の宅内装置と所定の宅外装置との通信を制御する通信制御工程と、を含んだことを特徴とする。
【００１６】
また、請求項９に係る発明は、宅内ネットワークに接続される宅内装置と宅外ネットワークに接続される宅外装置とを通信可能に接続されることをコンピュータに実行させる通信プログラムであって、テンキーで表現される特定の番号に対応付けて、所定の宅内装置と所定の宅外装置との通信を制御するための制御情報を記憶する特番制御情報記憶手段と、テンキーを備えた宅内装置からダイアル信号を受け付けた場合に、当該ダイアル信号が、前記特番制御情報記憶手段に記憶された特定の番号であるか否かを判定する特番判定手順と、前記特番判定手順により前記特定の番号であると判定された場合に、前記特番制御情報記憶手段に記憶された制御情報のなかから当該特定の番号に対応付けられた制御情報を取得し、当該制御情報を用いて前記所定の宅内装置と所定の宅外装置との通信を制御する通信制御手順と、をコンピュータに実行させることを特徴とする。
【発明の効果】
【００１７】
請求項１、８、９の発明によれば、テンキーで表現される特定の番号に対応付けて、所定の宅内装置と所定の宅外装置との通信を制御するための制御情報を記憶し、テンキーを備えた宅内装置からダイアル信号を受け付けた場合に、当該ダイアル信号が、特番制御情報記憶手段に記憶された特定の番号であるか否かを判定し、特定の番号であると判定された場合に、記憶された制御情報のなかから当該特定の番号に対応付けられた制御情報を取得し、当該制御情報を用いて所定の宅内装置と所定の宅外装置との通信を制御するので、利用者の負担なく、宅内ネットワークに接続される宅内機器と宅外ネットワークに接続される宅外装置とを容易に接続することが可能である。
【００１８】
例えば、ＷｅｂＴＶでインターネットを利用してＷｅｂサイトを閲覧する場合に、電話機などのテンキーでインターネットを利用するための特定の番号（例えば、＃＃０２など）を入力することで、リモコンなどからＵＲＬを入力する必要がなく、容易にＷｅｂＴＶを用いて、Ｗｅｂサイトを閲覧することが可能である。また、電話機で通話中にテレビ電話を実施する場合に、使用している電話機でテレビ電話を利用するための特定の番号（例えば、＊＊００１など）を入力するだけで、自動的にカメラが起動し、テレビ電話を利用することが可能である。
【００１９】
また、特定の番号全体とそれに対応する制御情報との関係が固定的でなく、様々な制御情報を組み合わせることが可能である。すなわち、「＃」からはじまる特定の番号には「アクセス先アドレス」を制御情報として対応付け、「＃＃」からはじまる特定の番号には「アクセス先のコンテンツＮｏ」を対応付け、「＊」からはじまる特定の番号には「接続するサービス内容」を対応付け、「＊＊」からはじまる特定の番号には「サービス内容の補助情報（ダウンロード先など）」を対応付けることで、様々な特定の番号を組み合わせることができ、多様な制御情報を指定することが可能である。
【００２０】
また、請求項２の発明によれば、特番制御情報記憶手段は、前記宅外ネットワークに接続されるものであって、宅内テンキー装置からダイアル信号を受け付けた場合に、宅外ネットワークを介して特番制御情報手段に接続し、当該ダイアル信号が、前記特番制御情報記憶手段に記憶された特定の番号であるか否かを判定するので、利用者の負担をさらに削減することが可能である。
【００２１】
例えば、宅外ネットワークに接続され、各種サービスを提供するＳＰなどにより制御情報を管理を依頼することができ、また、インターネットを利用できる複数のＷｅｂ装置が存在する場合、各Ｗｅｂ装置の「お気に入り（Ｂｏｏｋｍａｒｋ）」を個別に登録する必要がなく、全ての装置または他の宅内ネットワークに共通した「お気に入り」として一括管理することが可能である。
【００２２】
また、請求項３の発明によれば、テンキーで表現される特定の番号に対応付けて、所定の宅内装置と所定の宅外装置との接続関係を示す接続先情報を記憶するものであって、特定の番号であると判定された場合に、記憶された接続先情報のなかから当該特定の番号に対応付けられた接続先情報を取得し、当該接続先情報を用いて所定の宅内装置と所定の宅外装置とを接続するので、よく閲覧するお気に入りのＷｅｂサイトをあらかじめ特定の番号に対応付けて、記憶させておくことで、手間がかかるＵＲＬ入力やＷｅｂサイトの検索を行うことなく、お気に入りのＷｅｂサイトを簡単かつ迅速に閲覧することが可能である。
【００２３】
また、インターネットを利用できる複数のＷｅｂ装置が存在する場合、各Ｗｅｂ装置の「お気に入り（Ｂｏｏｋｍａｒｋ）」を個別に登録する必要がなく、全ての装置に共通した「お気に入り」として一括管理することが可能である。
【００２４】
また、請求項４の発明によれば、テンキーで表現される特定の番号に対応付けて、宅内装置と前記宅外装置との間で実行される通信内容を記憶するものであって、特定の番号であると判定された場合に、記憶された通信内容のなかから当該特定の番号に対応付けられた通信内容を取得し、当該通信内容を用いて所定の宅内装置と所定の宅外装置との間で通信サービスを実行するので、よく使用するサービス（例えば、コンテンツダウロードや音楽、映画視聴サービス、テレビ電話など）をあらかじめ特定の番号に対応付けて、記憶させておくことで、手間がかかるＵＲＬ入力やＷｅｂサイトの検索を行うことなく、よく使用するサービスを簡単かつ迅速に実行することが可能である。
【００２５】
また、請求項５の発明によれば、所定の宅内装置は、起動時の接続先として他の別の装置に設定されているものであって、所定の宅内装置と所定の宅外装置とを接続する際に、別の装置に所定の宅外装置のアドレス情報を設定するので、宅内ネットワークに接続される装置に特別な設定をすることなく、予め定めた特定の番号に対応付けて、宅内ネットワークに接続される装置と宅外ネットワークに接続される装置とを制御することが可能である。
【００２６】
例えば、ＷｅｂＴＶを用いてインターネットを接続する特定の番号が入力されると、ＷｅｂＴＶのデフォルトアクセス先を通信装置（例えば、ＨＧＷなど）に設定し、ＷｅｂＴＶが通信装置にアクセスすると、リダイレクトなどの自動実行によりインターネットに接続することができる結果、ＷｅｂＴＶに特別な設定をすることなく、既存のＷｅｂＴＶを用いて、容易にインターネットを接続することが可能である。
【００２７】
また、請求項６の発明によれば、特定の番号の入力を受け付けるテンキーを備えた特番入力受付手段をさらに備え、特定の番号を受け付けた場合に、記憶された制御情報のなかから当該特定の番号に対応付けられた制御情報を取得し、当該制御情報を用いて所定の宅内装置と所定の宅外装置との通信を制御するので、宅内ネットワークに接続されるテンキーを備えた装置を使用することなく、直接特定の番号を入力しても、当該特定の番号に対応付けられた制御情報に基づいて、各種制御処理を実行することが可能である。
【００２８】
例えば、電話機がない場合など、特定の番号を直接入力することで、ＷｅｂＴＶを用いてインターネット接続するなど、宅内ネットワークに接続される機器の各種制御を実行することが可能である。
【００２９】
また、請求項７の発明によれば、記憶される予め定めた特定の番号と、記憶された当該特定の番号に対応付けられた制御情報とを、音声により読み上げるので、予め定めて記憶させる特定の番号を覚える必要がなく、さらに利用者の負担を軽減することが可能である。
【００３０】
例えば、入力中に入力すべき番号を忘れてしまった場合など、音声により記憶される特定の番号と制御情報を読み上げることができる結果、思い出して入力する必要がなく、さらに利用者の負担を軽減することが可能である。
【発明を実施するための最良の形態】
【００３１】
以下に添付図面を参照して、この発明に係る接続制御装置の実施例を詳細に説明する。なお、以下の実施例で用いる主要な用語、実施例１に係る通信装置の概要および特徴、実施例１に係る通信装置の構成および処理の手順、実施例１の効果を順に説明し、続いて、他の実施例について説明する。
【実施例１】
【００３２】
［用語の説明］
まず最初に、本実施例で用いる主要な用語を説明する。本実施例で用いる「特番サービス処理装置」とは、宅内ネットワーク（例えば、家庭内ＬＡＮ、ホームネットワークなど）に接続される宅内装置と宅外ネットワーク（例えば、インターネットやＩＰ網など）に接続される宅外装置とに通信可能に接続される装置のことである。具体的に例を挙げると、「特番サービス処理装置」は、ＨＧＷを介して、インターネットやＩＰ網（Ｉｎｔｅｒｎｅｔ  Ｐｒｏｔｏｃｏｌ）などに接続し、ＳＰ（Ｓｅｒｖｉｃｅ  Ｐｒｏｖｉｄｅｒ）が提供する各種サービスを利用する。なお、「特番サービス処理装置」は、特許請求の範囲に記載の「通信装置」に対応する。
【００３３】
また、ＳＰがサービス提供する宅外装置として、「Ｗｅｂサーバ」や「Ｖｉｄｅｏサーバ」、「カメラサーバ」などがある。「Ｗｅｂサーバ」は、検索サイトや音楽ダウンロードなどのサービスを提供する装置であり、「Ｖｉｄｅｏサーバ」は、映画の視聴、配信などのサービスを提供する装置であり、「カメラサーバ」は、Ｗｅｂを用いたテレビ電話や、夜景などをリアルタイムで提供する装置である。なお、これらのサーバは、あくまで一例であり、インターネットにはＳＰが提供するサービスに応じた様々な宅外装置が存在する。
【００３４】
また、宅内ネットワークに接続される宅内装置としては、「電話機」「ＷｅｂＴＶ」「Ｗｅｂカメラ」などの情報家電があり、これらの情報家電が相互接続されることにより、宅内ネットワークが構成される。「電話機」は、アナログ電話機やＶｏＩＰ電話機（特に、ＶｏＩＰ電話機と示す）などのテンキーを備え、ダイアル信号により相手先を指定して通話接続を行う電話機である。「ＷｅｂＴＶ」は、インターネットが利用できるテレビであり、テレビを見ながら、ＷＷＷ（Ｗｏｒｌｄ  Ｗｉｄｅ  Ｗｅｂ）を閲覧したり、電子メールを送受信したりすることができる。「Ｗｅｂカメラ」は、電話機を用いて通話しながら、ＷｅｂＴＶなどと接続することで、テレビ電話などを行うことができる。なお、「電話機」は、特許請求の範囲に記載の「宅内テンキー装置」に対応し、「ＷｅｂＴＶ」や「Ｗｅｂカメラ」は、特許請求の範囲に記載の「所定の宅内装置」に対応する。
【００３５】
このような宅内ネットワークを構成する情報家電は、上記した情報家電以外にも家電標準化技術であるＤＬＮＡ（Ｄｉｇｉｔａｌ  Ｌｉｖｉｎｇ  Ｎｅｔｗｏｒｋ  Ａｌｌｉａｎｃｅ）やＵＰｎＰ（Ｕｎｉｖｅｒｓａｌ  Ｐｌｕｇ  ａｎｄ  Ｐｌａｙ）などのプロトコルを用いて接続される「ＤＬＮＡサーバ」や、「ハードディスクレコーダ」、「パーソナルコンピュータ」など様々な装置がある。
【００３６】
また、本実施例で用いる「ＨＧＷ（Ｈｏｍｅ  ＧａｔｅＷａｙ）」は、宅内ネットワークおよび宅外ネットワークに通信可能に接続する装置であり、アドレス変換やデータの載せ換えなどを行うことにより情報家電を相互接続する。具体的には、インターネットと宅内ネットワークの間に配置され、ホームルータ、プロトコル変換、ファイアウォール、ファイアウォールのルール動的変更などの機能や放送受信機能などのセットトップボックスを備える。例えば、宅内ネットワークに設置されたＷｅｂＴＶから発信されるリクエストであり、当該宅内ネットワークに設置されたＨＤＤやＰＣからＷｅｂＴＶに提供されるサービスに関して情報を要求する旨のリクエストを受信したり、宅内ネットワークに設置されたＷｅｂＴＶからインターネット接続要求を受信して、ＮＡＴ変換を行い、当該要求をインターネット網に送信したりする。
【００３７】
また、この「ＨＧＷ」は、ＶｏＩＰ−ＧＷ（Ｖｉｃｅ  Ｏｖｅｒ  Ｉｎｔｅｒｎｅｔ  Ｐｒｏｔｏｃｏｌ−ＧａｔｅＷａｙ）としての機能を有するとともに、ＩＰ電話アダプタを有し、宅内ネットワークと外部のＶｏＩＰ網とを接続する。具体的に例を挙げると、宅内ネットワークに接続されたＩＰ電話からダイアル番号（呼情報）を受信し、外部のＶｏＩＰ網に接続される呼処理サーバに当該ダイアル番号を送信する。そして、後述する呼処理サーバは、ダイアル信号送信元と接続先とをＶｏＩＰを用いて接続する。さらに、「ＨＧＷ」は、宅内ネットワークの電話回線と外部の公衆電話交換回線網であるＰＳＴＮ（Ｐｕｂｌｉｃ  Ｓｗｉｔｃｈ  Ｔｅｌｅｐｈｏｎｅ  Ｎｅｔｗｏｒｋｓ）とを接続する機能も備える。具体的に例を挙げると、宅内ネットワークに接続される既存のアナログ電話機からダイアル信号を受信し、交換機などを介して、当該アナログ電話機と接続先とを接続する。なお、ＩＰ電話アダプタは、必ずしもＨＧＷに内蔵されている必要はなく、他の装置として宅内ネットワークに接続されていてもよい。
【００３８】
また、上記したＶｏＩＰ網に接続される装置として、「呼処理サーバ」や「ＶｏＩＰ端末」などがある。「呼処理サーバ」は、ダイアル信号（呼情報）に応じて、端末同士を接続する装置であり、ＶｏＩＰ網を介してダイアル信号を受信し、当該ダイアル番号から接続先を取得し、接続元と接続先とをＶｏＩＰを用いて接続する。「ＶｏＩＰ端末」は、ＶｏＩＰ機能を備えたインターネット電話やＰＣなどの装置であり、「呼情報サーバ」により当該ＶｏＩＰ端末に宛ててダイアル信号を送信した端末と接続されたり、「呼情報サーバ」に対してダイアル信号を送信したりする。
【００３９】
［通信装置（特番サービス処理装置）の概要および特徴］
次に、図１を用いて、実施例１に係る特番サービス処理装置（通信装置）の概要および特徴を説明する。図１は、実施例１に係る特番サービス処理装置を含むシステムの全体構成図である。
【００４０】
図１に示すように、このシステムは、宅内ネットワークと、インターネットと、ＶｏＩＰ網により様々な装置が接続されて構成される。宅内ネットワークは、特番サービス処理装置と、電話機（ＶｏＩＰ電話機）と、ＷｅｂＴＶと、ＨＧＷ（ＶｏＩＰ  ＧＷ）とから構成される。そして、これらの宅内ネットワークに接続される各装置は、ＨＧＷを介してインターネットに接続されて、Ｗｅｂサーバと、Ｖｉｄｅｏサーバと、カメラサーバとに接続される。また、宅内ネットワークに接続される各装置は、ＨＧＷを介してＶｏＩＰ網に接続されて、呼処理サーバやＶｏＩＰ端末に接続される。そして、Ｗｅｂサーバには、ＵＲＬとして「ｘｘ．ｔｏｄａｙｓｎｅｗｓ．ｃｏ．ｊｐ」が設定されている。
【００４１】
このような構成のもと、実施例１に係る特番サービス処理装置は、上記したように、宅内ネットワークおよび宅外ネットワークに通信可能に接続されることを概要とするものであり、特に、利用者の負担なく、宅内ネットワークに接続されるＷｅｂＴＶなどの宅内機器と宅外ネットワークに接続されるＷｅｂサーバなどの宅外装置とを容易に接続することが可能である点に主たる特徴がある。
【００４２】
この主たる特徴を具体的に説明すると、図１に示すように、特番サービス処理装置は、テンキーで表現される特定の番号に対応付けて、電話機やＷｅｂＴＶなどの宅内装置とＷｅｂサーバなどの宅外装置との通信を制御するための制御情報を特番制御情報ＤＢに記憶する。具体的には、特番制御情報ＤＢは、テンキーで表現される特定の番号に対応付けて、電話機やＷｅｂＴＶなどの宅内装置とＷｅｂサーバなどの宅外装置との接続関係を示す接続先情報や、電話機やＷｅｂＴＶなどの宅内装置とＷｅｂサーバなどの宅外装置との間で実行される通信内容を記憶する。
【００４３】
例を挙げると、特番制御情報ＤＢは、「特定の番号、制御情報」として「＃０２＊０１＊＊０２、ＷｅｂＴＶで‘ｘｘ．ｔｏｄａｙｓｎｅｗｓ．ｃｏ．ｊｐ’を表示」や「＃００＊０２、通話先とＴＶ電話」、「＃０１＃＃０００２、ｎｔｔ．ｃｏ．ｊｐのＮｏ．２コンテンツをＤＬＮＡ−ＮＡＳに保存」などと記憶する。
【００４４】
このような情報を特番制御情報ＤＢに記憶する特番サービス処理装置は、テンキーを備えた電話機からダイアル信号を受け付けた場合に、当該ダイアル信号が、特番制御情報ＤＢに記憶された特定の番号であるか否かを判定する（図１の（１）と（２）参照）。具体的に例を挙げれば、電話機は、利用者からダイアル信号（＃０２＊０１＊＊０２）の入力を受け付けると、ＨＧＷを介して特番サービス処理装置に送信する。そして、当該ダイアル信号を受信した特番サービス処理装置は、当該ダイアル信号が、特番制御情報ＤＢに記憶された特定の番号であるか否かを判定する。
【００４５】
この例の場合、特番サービス処理装置は、受信したダイアル番号（＃０２＊０１＊＊０２）を特番制御情報ＤＢに記憶しているので、当該ダイアル番号を特定の番号であると判定する。例えば、受信したダイアル番号が「＃＃９９９」である場合、特番サービス処理装置は、当該ダイアル番号を特定の番号と判定しない。
【００４６】
そして、特番サービス処理装置は、特定の番号であると判定された場合に、特番制御情報ＤＢに記憶された制御情報のなかから当該特定の番号に対応付けられた制御情報を取得し、当該制御情報を用いて所定の宅内装置と所定の宅外装置との通信を制御する（図１の（３）と（４）参照）。上記した例で具体的に説明すると、特番サービス処理装置は、受信したダイアル番号（＃０２＊０１＊＊０２）を特定の番号と判定し、このダイアル番号に対応した制御情報として「ＷｅｂＴＶで‘ｘｘ．ｔｏｄａｙｓｎｅｗｓ．ｃｏ．ｊｐ’を表示」を取得する。続いて、特番サービス処理装置は、ＷｅｂＴＶに対してＷｅｂブラウザを起動する指示と当該Ｗｅｂブラウザを用いてＵＲＬ「ｘｘ．ｔｏｄａｙｓｎｅｗｓ．ｃｏ．ｊｐ」にアクセスする指示を与える。その後、ＷｅｂＴＶは、ＵＲＬ「ｘｘ．ｔｏｄａｙｓｎｅｗｓ．ｃｏ．ｊｐ」にアクセスし、「ｘｘ．ｔｏｄａｙｓｎｅｗｓ．ｃｏ．ｊｐ」のＴＯＰ画面を表示する。
【００４７】
一方、電話機が受信したダイアル信号が「＃＃９９９」などであって特定の番号でないと判定された場合に、特番サービス処理装置は、当該ダイアル番号は通常の通話を行うダイアル番号なので、当該ダイアル番号をＨＧＷに送信し、ＨＧＷは、電話機とダイアル先とを接続する（呼処理）。
【００４８】
このように、実施例１に係る特番サービス処理装置は、上記した主たる特徴のごとく、利用者の負担なく、宅内ネットワークに接続されるＷｅｂＴＶと宅外ネットワークに接続されるＷｅｂサーバとを容易に接続することが可能である。
【００４９】
［特番サービス処理装置を含むシステムの構成］
次に、図２と図３を用いて、図１に示した特番サービス処理装置を含むシステムの構成を説明する。図２は、実施例１に係る特番サービス処理装置を含むシステムの構成を示すブロック図であり、図３は、特番制御情報ＤＢに記憶される情報の構成例を示す図である。図２に示すように、このシステムは、特番サービス処理装置１０と、ＨＧＷと、電話機（ＶｏＩＰ電話機）と、ＷｅｂＴＶとから構成される。
【００５０】
ＨＧＷと、ＶｏＩＰ電話機と、ＷｅｂＴＶとは、「用語の説明」に記述したように、一般的な機能を有するので、ここでは、その詳細な説明は省略する。特番サービス処理装置１０は、通信制御Ｉ／Ｆ部１１と、リモート制御部１２と、サービス中継部１３と、記憶部１４と、制御部２０とから構成される。
【００５１】
通信制御Ｉ／Ｆ部１１は、宅内装置であるＨＧＷ、電話機（ＶｏＩＰ電話機）、ＷｅｂＴＶや宅外装置であるＷｅｂサーバとの間でやり取りする各種情報に関する通信を制御する。具体的に例を挙げれば、電話機（ＶｏＩＰ電話機）からＨＧＷを介してダイアル信号を受信したり、ＨＧＷを介してＷｅｂＴＶに各種制御の指示を送信したり、ＨＧＷを介してＷｅｂサーバへアクセスしたりする。
【００５２】
リモート制御部１２は、遠隔操作により電源のＯＮ／ＯＦＦなどを行う赤外線リモコンなどを備える。具体的には、後述する通信制御部２４の指示により、ＷｅｂＴＶなどの電源をＯＮにしたり、また、ＯＦＦにしたりする。
【００５３】
サービス中継部１３は、Ｗｅｂサーバなどの機能を有し、ＷｅｂＴＶからのアクセス先としてのデフォルトＵＲＬなどとなり、アクセスしてきた装置にリダイレクト先を通知する。上記した例で具体的に説明すると、サービス中継部１３は、後述する通信制御部２４によりＷｅｂＴＶのデフォルトＵＲＬとして指定されて、Ｗｅｂサーバのリダイレクト先を示す制御情報が設定される。その後、ＷｅｂＴＶからアクセスを受け付けると、サービス中継部１３は、ＷｅｂＴＶにリダイレクト先を通知し、リダイレクト先を通知されたＷｅｂＴＶは、ＨＧＷを介して宅外装置のＷｅｂサーバなどに接続する。
【００５４】
記憶部１４は、制御部２０による各種処理に必要なデータおよびプログラムを格納するとともに、特に本発明に密接に関連するものとしては、特番制御情報ＤＢ１５を備える。特番制御情報ＤＢ１５は、テンキーで表現される特定の番号に対応付けて、電話機（ＶｏＩＰ電話機）やＷｅｂＴＶなどの宅内装置とＷｅｂサーバなどの宅外装置との通信を制御するための制御情報を記憶する。具体的には、特番制御情報ＤＢ１５は、テンキーで表現される特定の番号に対応付けて、電話機（ＶｏＩＰ電話機）やＷｅｂＴＶなどの宅内装置とＷｅｂサーバなどの宅外装置との接続関係を示す接続先情報や、電話機（ＶｏＩＰ電話機）やＷｅｂＴＶなどの宅内装置とＷｅｂサーバなどの宅外装置との間で実行される通信内容などを記憶する。
【００５５】
例を挙げて説明すると、図３の（１）と（２）に示すように、『特定の番号を示す「特番」とアクセス先を示す「ＵＲＬ」』として「＃００、ｘｘｘｘ」、「＃０１、ｎｔｔ．ｃｏ．ｊｐ／ｓｎｕｍｂｅｒ＿ｓｅｒｖｉｃｅ」や「＃＃０００１、コンテンツＮｏ．０００１」、「＃＃０００２、コンテンツＮＯ．０００２」などと記憶する。また、図３の（３）と（４）に示すように、『特定の番号を示す「特番」と通信内容を示す「サービス内容」』として「＊００、Ｗｅｂアクセス」、「＊０１、Ｗｅｂアクセスリダイレクト」や「＊＊００、ＤＬＮＡ−ＮＡＳに保存」、「＊＊０１、ＮＡＳ−外部記憶媒体に保存」などと記憶する。
【００５６】
制御部２０は、ＯＳ（Operating System）などの制御プログラム、各種の処理手順などを規定したプログラムおよび所要データを格納するための内部メモリを有するとともに、特に本発明に密接に関連するものとして、ＤＢ更新部２１と、特番判定部２２と、ＶｏＩＰ転送部２３と、通信制御部２４とを備え、これらによって種々の処理を実行する処理部である。なお、特番判定部２２は、特許請求の範囲に記載の「特番判定手段」に対応し、通信制御部２４は、同様に、「通信制御手段」に対応する。
【００５７】
ＤＢ更新部２１は、特番制御情報ＤＢ１５を更新する。具体的に例を挙げれば、利用者などの操作により、ＤＢ更新部２１は、新規の特定の番号（＃＊０９０９）と制御情報（ＷｅｂＴＶで番組表を表示）などを特番制御情報ＤＢ１５に登録する。また、ＤＢ更新部２１は、既に特番制御情報ＤＢ１５に登録されている特定の番号や制御内容を削除したり、変更したりもする。
【００５８】
特番判定部２２は、テンキーを備えた電話機などの宅内装置からダイアル信号を受け付けた場合に、当該ダイアル信号が、特番制御情報ＤＢ１５に記憶された特定の番号であるか否かを判定する。上記した例で具体的に説明すると、特番判定部２２は、テンキーを備えた電話機からダイアル信号として「＃０２＊０１＊＊０２」を受信すると、特番制御情報ＤＢ１５を参照し、当該ダイアル番号が特番制御情報ＤＢ１５に記憶されていることを根拠に、特定の番号であると判定し、当該判定結果を後述する通信制御部２４に送信する。一方、特番判定部２２は、特番制御情報ＤＢ１５に記憶されない「０３−ＸＸＸＸ−ＸＸＸＸ」などのダイアル信号を受信すると、特定の番号でないと判定し、当該ダイアル信号を後述するＶｏＩＰ転送部２３に送信する。
【００５９】
ＶｏＩＰ転送部２３は、特番判定部２２から受信した特番制御情報ＤＢ１５に記憶されないダイアル信号をＨＧＷに転送する。上記した例で具体的に説明すると、特番判定部２２により特定の番号でないと判定されて送信された「０３−ＸＸＸＸ−ＸＸＸＸ」などのダイアル信号を受信すると、ＶｏＩＰ転送部２３は、当該ダイアル信号を呼処理サーバに転送する。当該ダイアル信号を受信した呼処理サーバは、当該ダイアル信号に基づいて、接続先と電話機とを接続する。これにより、電話など通常の会話（呼処理）が実施できる。
【００６０】
通信制御部２４は、特番判定部２２により特定の番号であると判定された場合に、特番制御情報ＤＢ１５に記憶された制御情報のなかから当該特定の番号に対応付けられた接続先情報や通信内容などの制御情報を取得し、当該制御情報を用いて電話機やＷｅｂＴＶなどの宅内装置とＷｅｂサーバの宅外装置との通信を制御する。上記した例で具体的に説明すると、特番判定部２２により受信されたダイアル番号「＃０２＊０１＊＊０２」が特定の番号であると判定された場合に、通信制御部２４は、このダイアル番号に対応した制御情報として「ＷｅｂＴＶで‘ｘｘ．ｔｏｄａｙｓｎｅｗｓ．ｃｏ．ｊｐ’を表示」を取得する。続いて、通信制御部２４は、リモート制御部１２に指示を送信して、ＷｅｂＴＶの電源をＯＮにする。そして、通信制御部２４は、ＷｅｂＴＶのＷｅｂブラウザのデフォルトＵＲＬをサービス中継部１３に指定するとともに、ＷｅｂＴＶのＷｅｂブラウザに「ｘｘ．ｔｏｄａｙｓｎｅｗｓ．ｃｏ．ｊｐ」にリダイレクトする制御をサービス中継部１３に設定する。
【００６１】
その後、通信制御部２４によりＷｅｂＴＶのＷｅｂブラウザが起動されると、ＷｅｂＴＶのＷｅｂブラウザは、サービス中継部１３にアクセスする。すると、ＷｅｂＴＶのＷｅｂブラウザは、サービス中継部よりリダイレクトを受信し、ＵＲＬ「ｘｘ．ｔｏｄａｙｓｎｅｗｓ．ｃｏ．ｊｐ」にアクセスして、「ｘｘ．ｔｏｄａｙｓｎｅｗｓ．ｃｏ．ｊｐ」のＴＯＰ画面を表示する。
【００６２】
［特番サービス処理装置を含むシステムによる処理］
次に、図４を用いて、特番サービス処理装置１０を含むシステムによる処理を説明する。図４は、実施例１に係る特番サービス処理装置１０を含むシステムによる処理の流れを示すシーケンス図である。
【００６３】
図４に示すように、電話機は、ダイアル信号として電話番号の入力を受け付けて、当該電話番号をＨＧＷに発信する（ステップＳ４０１）。ダイアル信号として当該電話番号を受信したＨＧＷは、当該ダイアル信号として特番サービス処理装置１０に送信する（ステップＳ４０２とステップＳ４０３）。
【００６４】
当該ダイアル信号を受信した特番サービス処理装置１０の特番判定部２２は、当該ダイアル信号を、特番制御情報ＤＢ１５に記憶された特定の番号であるか否かを判定する（ステップＳ４０４）。そして、特定の番号でないと判定されると、特番サービス処理装置１０のＶｏＩＰ転送部２３は、リダイレクトを指示するために当該ダイアル信号を呼処理サーバに転送する（ステップＳ４０５とステップＳ４０６）。
【００６５】
続いて、当該ダイアル信号を受信した呼処理サーバは、当該ダイアル信号に基づいて接続先を特定する呼処理を行い（ステップＳ４０７）、相手先電話機に接続する旨のメッセージ（例えば、呼び出し）を送信して（ステップＳ４０８）、相手先から接続応答を受信する（ステップＳ４０９）。
【００６６】
そして、呼処理サーバは、当該応答をＨＧＷに送信し（ステップＳ４１０）、続いて、ＨＧＷが、当該応答を電話機に送信することで、当該電話機と相手先電話機とが接続される（ステップ４１１）。以降、接続元の電話機と接続先との電話機との通話ができる状態となる（ステップＳ４１２）。
【００６７】
このような後、通話状態から接続元の宅内装置である電話機は、特番であるダイアル信号（例えば、＃０２＊０１＊＊０２）の入力を受け付けて、当該ダイアル信号をＨＧＷに発信する（ステップＳ４１３）。ダイアル信号を受信したＨＧＷは、当該ダイアル信号として特番サービス処理装置１０に送信する（ステップＳ４１４とステップＳ４１５）。
【００６８】
続いて、当該ダイアル信号を受信した特番サービス処理装置１０の特番判定部２２は、当該ダイアル信号を、特番制御情報ＤＢ１５に記憶された特定の番号であるか否かを判定する（ステップＳ４１６とステップＳ４１７）。そして、特定の番号であると判定されると、特番サービス処理装置１０の通信制御部２４は、特番制御情報ＤＢ１５に記憶された制御情報のなかから当該特定の番号（例えば、＃０２＊０１＊＊０２）に対応付けられた制御情報（例えば、ＷｅｂＴＶで‘ｘｘ．ｔｏｄａｙｓｎｅｗｓ．ｃｏ．ｊｐ’を表示）を取得する（ステップＳ４１８とステップＳ４１９）。
【００６９】
その後、特番サービス処理装置１０の通信制御部２４は、サービス中継部１３に各種制御情報（例えば、デフォルトＵＲＬやリダイレクト先、ポート番号など）を設定する（ステップＳ４２０とステップＳ４２１）。上記した例で具体的に説明すると、デフォルトＵＲＬを「ｈｔｔｐ：／／ｄｅｆａｕｌｔ」、リダイレクト先を「ｘｘ．ｔｏｄａｙｓ．ｎｅｓ．ｃｏ．ｊｐ」、ポート番号を「８０」などと設定する。
【００７０】
そして、特番サービス処理装置１０のサービス中継部１３は、設定が完了した旨のメッセージ（例えば、ＡＣＫ応答）を通信制御部２４に送信し（ステップＳ４２２）、通信制御部２４は、ＨＧＷに設定が完了した旨のメッセージ（例えば、ＡＣＫ応答）を送信する（ステップＳ４２３）。続いて、ＨＧＷは、受信した完了通知（例えば、ＡＣＫ応答）を電話機に送信する（ステップＳ４２４）。
【００７１】
その後、利用者の操作または特番サービス処理装置１０のリモート制御部１２によりＷｅｂＴＶのＷｅｂブラウザが起動されると、ＷｅｂＴＶは、デフォルトＵＲＬに設定された特番サービス処理装置１０のサービス中継部１３にアクセスする（ステップＳ４２５）。
【００７２】
ＷｅｂＴＶからアクセスを受け付けた特番サービス処理装置１０のサービス中継部１３は、ＷｅｂＴＶにリダイレクト先を通知する（ステップＳ４２６とステップＳ４２７）。リダイレクト先を通知されたＷｅｂＴＶは、リダイレクト先であるＷｅｂサーバ（ＵＲＬ‘ｘｘ．ｔｏｄａｙｓｎｅｗｓ．ｃｏ．ｊｐ’）へアクセスし、Ｗｅｂサーバが提供するサービスを受信する（ステップＳ４２８）。
【００７３】
なお、このシーケンス図では、通常の電話中にＷｅｂＴＶを起動して、Ｗｅｂサーバへアクセスする場合を説明したが、本発明はこれに限定されるものではなく、はじめから（通話中でなくても）、ＷｅｂＴＶを起動して、Ｗｅｂサーバへアクセスするようにしてもよい。また、特番サービス処理装置１０が特番を判定して、接続先を指定するタイミングと、実際にＷｅｂＴＶが接続先に接続するタイミングは、必ずしも一致する必要はなく、例えば、特番サービス処理装置１０によりサービス中継部１３に接続先が設定された後に、何かしらの契機（例えば、利用者の指示操作やコマンドによる操作など）でＷｅｂＴＶのＷｅｂブラウザが起動されると、ＷｅｂＴＶと接続先が接続されるようにしてもよい。
【００７４】
［特番サービス処理装置による処理］
次に、図５を用いて、特番サービス処理装置による処理を説明する。図５は、実施例１に係る特番サービス処理装置１０による処理の流れを示すフローチャートである。
【００７５】
図５に示すように、電話機からＨＧＷを介してダイアル信号を受信すると（ステップＳ５０１肯定）、特番サービス処理装置１０の特番判定部２２は、当該ダイアル信号が特番制御情報ＤＢ１５に記憶される特番に該当するか否かを判定する（ステップＳ５０２）。
【００７６】
そして、特番に該当すると判定された場合（ステップＳ５０２肯定）、特番サービス処理装置１０の通信制御部２４は、記憶された制御情報のなかから当該特定の番号に対応付けられた制御情報を取得し、当該制御情報を用いて電話機やＷｅｂＴＶなどの宅内装置とＷｅｂサーバなどの宅外装置との通信を制御する（ステップＳ５０３）。その後、特番サービス処理装置１０は、電話機へ完了通知を送信する（ステップＳ５０４）。
【００７７】
一方、ステップＳ５０２に戻り、特番に該当しないと判定された場合（ステップＳ５０２否定）、特番サービス処理装置１０のＶｏＩＰ転送部２３は、ＨＧＷ（ＶｏＩＰＧＷ）を介して呼処理サーバに当該ダイアル信号を送信する（ステップＳ５０５）。その後、呼処理サーバは、接続元と接続先を接続する呼処理を行う。
【００７８】
［実施例１による効果］
このように、実施例１によれば、テンキーで表現される特定の番号に対応付けて、所定の宅内装置と所定の宅外装置との通信を制御するための制御情報を記憶し、テンキーを備えた宅内装置からダイアル信号を受け付けた場合に、当該ダイアル信号が、特番制御情報ＤＢ１５に記憶された特定の番号であるか否かを判定し、特定の番号であると判定された場合に、特番制御情報ＤＢ１５に記憶された制御情報のなかから当該特定の番号に対応付けられた制御情報を取得し、当該制御情報を用いて所定の宅内装置と所定の宅外装置との通信を制御するので、利用者の負担なく、宅内ネットワークに接続される宅内機器と宅外ネットワークに接続される宅外装置とを容易に接続することが可能である。
【００７９】
例えば、ＷｅｂＴＶでインターネットを利用してＷｅｂサイトを閲覧する場合に、電話機などのテンキーでインターネットを利用するための特定の番号（例えば、＃＃０２など）を入力することで、リモコンなどからＵＲＬを入力する必要がなく、容易にＷｅｂＴＶを用いて、Ｗｅｂサイトを閲覧することが可能である。また、電話機で通話中にテレビ電話を実施する場合に、使用している電話機でテレビ電話を利用するための特定の番号（例えば、＊＊００１など）を入力するだけで、自動的にカメラが起動し、テレビ電話を利用することが可能である。
【００８０】
また、実施例１によれば、特番制御情報ＤＢ１５は、テンキーで表現される特定の番号に対応付けて、所定の宅内装置と所定の宅外装置との接続関係を示す接続先情報を記憶するものであって、特定の番号であると判定された場合に、特番制御情報ＤＢ１５に記憶された接続先情報のなかから当該特定の番号に対応付けられた接続先情報を取得し、当該接続先情報を用いて所定の宅内装置と所定の宅外装置とを接続するので、よく閲覧するお気に入りのＷｅｂサイトをあらかじめ特定の番号に対応付けて、記憶させておくことで、手間がかかるＵＲＬ入力やＷｅｂサイトの検索を行うことなく、お気に入りのＷｅｂサイトを簡単かつ迅速に閲覧することが可能である。
【００８１】
また、インターネットを利用できる複数のＷｅｂ装置が存在する場合、各Ｗｅｂ装置の「お気に入り（Ｂｏｏｋｍａｒｋ）」を個別に登録する必要がなく、全ての装置に共通した「お気に入り」として一括管理することが可能である。
【００８２】
また、実施例１によれば、特番制御情報ＤＢ１５は、テンキーで表現される特定の番号に対応付けて、宅内装置と宅外装置との間で実行される通信内容を記憶するものであって、特定の番号であると判定された場合に、特番制御情報ＤＢ１５に記憶された通信内容のなかから当該特定の番号に対応付けられた通信内容を取得し、当該通信内容を用いて前記所定の宅内装置と所定の宅外装置との間で通信サービスを実行するので、よく使用するサービス（例えば、コンテンツダウロードや音楽、映画視聴サービス、テレビ電話など）をあらかじめ特定の番号に対応付けて、記憶させておくことで、手間がかかるＵＲＬ入力やＷｅｂサイトの検索を行うことなく、よく使用するサービスを簡単かつ迅速に実行することが可能である。
【００８３】
また、実施例１によれば、所定の宅内装置は、起動時の接続先として他の別の装置に設定されているものであって、所定の宅内装置と所定の宅外装置とを接続する際に、別の装置に所定の宅外装置のアドレス情報を設定するので、宅内ネットワークに接続される装置に特別な設定をすることなく、予め定めた特定の番号に対応付けて、宅内ネットワークに接続される装置と宅外ネットワークに接続される装置とを制御することが可能である。
【００８４】
例えば、ＷｅｂＴＶを用いてインターネットを接続する特定の番号が入力されると、ＷｅｂＴＶのデフォルトアクセス先をサービス中継部１３に設定し、ＷｅｂＴＶが通信装置にアクセスすると、リダイレクトなどの自動実行によりインターネットに接続することができる結果、ＷｅｂＴＶに特別な設定をすることなく、既存のＷｅｂＴＶを用いて、容易にインターネットを接続することが可能である。
【実施例２】
【００８５】
さて、これまで実施例１では、電話機から入力された特番により、ＷｅｂＴＶでＷｅｂサーバへアクセスする場合について説明してきたが、本発明はこれに限定されるものではなく、テレビ電話などを実施するようにしてもよい。
【００８６】
そこで、実施例２では、図６と図７を用いて、電話機から入力された特番により、テレビ電話など実施する場合について説明する。なお、以下では、実施例２に係る通信装置（特番サービス処理装置）の概要および特徴、処理の手順、実施例２の効果を順に説明する。
【００８７】
［通信装置（特番サービス処理装置）の概要および特徴］
まず、図６を用いて、実施例２に係る特番サービス処理装置（通信装置）の概要および特徴を説明する。図６は、実施例２に係る特番サービス処理装置を含むシステムの全体構成図である。
【００８８】
図６に示すように、このシステムは、宅内ネットワーク（Ａ）と、宅内ネットワーク（Ｂ）とがＩＰ網などのインターネットを介して相互に通信可能に接続される。宅内ネットワーク（Ａ）は、ネットワークアドレス（ＩＰアドレス）を「ａｄｒ−ａ」として、特番サービス処理装置（Ａ）と、ＶｏＩＰ電話機（Ａ）と、ＷｅｂＴＶ（Ａ）と、Ｗｅｂカメラ（Ａ）と、ＨＧＷ（Ａ）とから構成されている。また、宅内ネットワーク（Ｂ）は、ネットワークアドレス（ＩＰアドレス）を「ａｄｒ−ｂ」として、特番サービス処理装置（Ｂ）と、ＶｏＩＰ電話機（Ｂ）と、ＷｅｂＴＶ（Ｂ）と、Ｗｅｂカメラ（Ｂ）と、ＨＧＷ（Ｂ）とから構成されている。
【００８９】
このような構成において、宅内ネットワーク（Ａ）の特番サービス処理装置（Ａ）は、実施例１と同様に、テンキーで表現される特定の番号に対応付けて、電話機やＷｅｂＴＶなどの宅内装置とＷｅｂサーバなどの宅外装置との通信を制御するための制御情報を特番制御情報ＤＢに記憶する。例を挙げると、特番制御情報ＤＢは、「特定の番号、制御情報」として「＃００＊０２、通話先とテレビ電話」などと記憶する。
【００９０】
このような情報を特番制御情報ＤＢに記憶する特番サービス処理装置（Ａ）は、テンキーを備えたＶｏＩＰ電話機（Ａ）からダイアル信号を受け付けた場合に、当該ダイアル信号が、特番制御情報ＤＢに記憶された特定の番号であるか否かを判定する（図６の（１）と（２）参照）。具体的に例を挙げれば、ＶｏＩＰ電話機（Ａ）は、利用者からダイアル信号（＃００＊０２）の入力を受け付けると、ＨＧＷ（Ａ）を介して特番サービス処理装置（Ａ）に送信する。そして、当該ダイアル信号を受信した特番サービス処理装置（Ａ）は、当該ダイアル信号が、特番制御情報ＤＢに記憶された特定の番号であるか否かを判定する。この例の場合、特番サービス処理装置（Ａ）は、受信したダイアル番号（＃００＊０２）を特番制御情報ＤＢに記憶しているので、当該ダイアル番号を特定の番号であると判定する。
【００９１】
そして、特番サービス処理装置（Ａ）は、特定の番号であると判定された場合に、特番制御情報ＤＢに記憶された制御情報のなかから当該特定の番号に対応付けられた制御情報を取得し、当該制御情報を用いて所定の宅内装置と所定の宅外装置との通信を制御する（図６の（３）〜（５）参照）。上記した例で具体的に説明すると、特番サービス処理装置（Ａ）は、受信したダイアル番号（＃００＊０２）を特定の番号と判定し、このダイアル番号に対応した制御情報として「通話先とテレビ電話」を取得する。
【００９２】
続いて、特番サービス処理装置（Ａ）は、Ｗｅｂカメラ（Ａ）の電源とＷｅｂＴＶ（Ａ）の電源をＯＮにする（予め電源がＯＮになっている場合は必要なし）。そして、接続先（通話先）の宅内ネットワーク（Ｂ）の特番サービス処理装置（Ｂ）により上記した同様の方法でＷｅｂＴＶ（Ｂ）とＷｅｂカメラ（Ｂ）が起動されるか、または、利用者の操作によりＷｅｂＴＶ（Ｂ）とＷｅｂカメラ（Ｂ）が起動されると、宅内ネットワーク（Ａ）と宅内ネットワーク（Ｂ）とのテレビ電話接続が完了する。
【００９３】
このように、実施例２に係る特番サービス処理装置は、利用者の負担なく、宅内ネットワークに接続されるＷｅｂＴＶやＷｅｂカメラと宅外ネットワークに接続されるＷｅｂＴＶとＷｅｂカメラとを容易に接続し、テレビ電話を実施することが可能である。
【００９４】
［特番サービス処理装置を含むシステムによる処理］
次に、図７を用いて、特番サービス処理装置を含むシステムによる処理を説明する。図７は、実施例２に係る特番サービス処理装置を含むシステムによる処理の流れを示すシーケンス図である。
【００９５】
図７に示すように、ＶｏＩＰ電話機（Ａ）は、ダイアル信号として電話番号（例えば、０３−ｘｘｘｘ−ｘｘｘｘ）の入力を受け付けて、当該電話番号を特番サービス処理装置（Ａ）に送信する（ステップＳ７０１）。
【００９６】
続いて、特番サービス処理装置（Ａ）は、呼処理サーバを介して、宅内ネットワーク（Ｂ）の特番サービス処理装置（Ｂ）に当該ダイアル番号を送信する（ステップＳ７０２）。
【００９７】
そして、特番サービス処理装置（Ｂ）は、ＶｏＩＰ電話機（Ｂ）に接続する旨のメッセージを送信し（ステップＳ７０３）、ＶｏＩＰ電話機（Ｂ）は、当該メッセージに対する応答（例えば、ＡＣＫ応答）を特番サービス処理装置（Ｂ）に送信する（ステップＳ７０４）。
【００９８】
その後、特番サービス処理装置（Ｂ）は、呼処理サーバを介して、宅内ネットワーク（Ａ）の特番サービス処理装置（Ａ）に当該応答を送信する（ステップＳ７０５）。続いて、特番サービス処理装置（Ａ）は、ＶｏＩＰ電話機（Ａ）に当該応答を受信した旨のメッセージを送信することで、ＶｏＩＰ電話機（Ａ）とＶｏＩＰと電話機（Ｂ）とを接続する（ステップＳ７０６）。
【００９９】
このような後、通話状態から接続元の宅内装置であるＶｏＩＰ電話機（Ａ）は、特番であるダイアル信号（例えば、＃００＊０２）の入力を受け付けて、当該ダイアル信号を送信する（ステップＳ７０７）。当該ダイアル信号を受信した特番サービス処理装置（Ａ）は、当該ダイアル信号を、特番制御情報ＤＢを参照して、特番制御情報ＤＢに記憶された特定の番号であるか否かを判定し、特定の番号であると判定されると、特番サービス処理装置（Ａ）は、特番制御情報ＤＢに記憶された制御情報のなかから当該特定の番号（例えば、＃００＊０２）に対応付けられた制御情報（例えば、通話先とテレビ電話）を取得する（ステップＳ７０８）。
【０１００】
その後、特番サービス処理装置（Ａ）は、ネットワークアドレス（ａｄｒ−ｂ）からアクセスを許可するように、ファイアウォールの設定を変更するようにＨＧＷに指示する（ステップＳ７０９）。指示を受信したＨＧＷは、ネットワークアドレス（ａｄｒ−ｂ）からアクセスを許可するように、ファイアウォールの設定を変更する（ステップＳ７１０）。
【０１０１】
そして、特番サービス処理装置（Ａ）は、デフォルトＵＲＬやリダイレクト先、ポート番号などの各種制御情報をサービス中継部に送信し（ステップＳ７１１）、サービス中継部は、当該制御情報を自身に設定する（ステップＳ７１２）。
【０１０２】
続いて、特番サービス処理装置（Ａ）は、Ｗｅｂカメラの電源をＯＮにするとともに（ステップＳ７１３とステップＳ７１４）、ＷｅｂＴＶの電源をＯＮにする（ステップＳ７１５とステップＳ７１６）。
【０１０３】
その後、利用者の操作または特番サービス処理装置のリモート制御部によりＷｅｂＴＶのＷｅｂブラウザが起動されると（ステップＳ７１７）、ＷｅｂＴＶは、デフォルトＵＲＬに設定された特番サービス処理装置のサービス中継部にアクセスする（ステップＳ７１８）。
【０１０４】
ＷｅｂＴＶからアクセスを受け付けた特番サービス処理装置のサービス中継部は、ＷｅｂＴＶにリダイレクト先（Ｗｅｂカメラ（Ｂ））を通知する（ステップＳ７１９）。リダイレクト先を通知されたＷｅｂＴＶは、リダイレクト先であるＷｅｂカメラ（Ｂ）へアクセスし、Ｗｅｂカメラ（Ｂ）が取得した映像を受信する（ステップＳ７２０）。
【０１０５】
上記した方法と同様に、宅内ネットワーク（Ｂ）でも、ＶｏＩＰ電話機（Ｂ）より特番が送信されて、特番サービス処理装置（Ｂ）は、Ｗｅｂカメラ（Ｂ）とＷｅｂＴＶ（Ｂ）とを起動して、テレビ電話を接続する（ステップＳ７２１〜ステップＳ７３４）。
【０１０６】
このようにして、宅内ネットワーク（Ａ）に接続されるＷｅｂＴＶ（Ａ）やＷｅｂカメラ（Ａ）と宅内ネットワーク（Ｂ）に接続されるＷｅｂＴＶ（Ｂ）とＷｅｂカメラ（Ｂ）とが接続され、テレビ電話を実施することが可能である。
【０１０７】
なお、このシーケンス図では、通常の電話中にテレビ電話を行う場合を説明したが、本発明はこれに限定されるものではなく、はじめから（通話中でなくても）、ＷｅｂＴＶやＷｅｂカメラを起動して、テレビ電話を行うようにしてもよい。
【０１０８】
［実施例２による効果］
このように、実施例２によれば、実施例１と同様に、利用者の負担なく、宅内ネットワークに接続されるＷｅｂＴＶやＷｅｂカメラなどの宅内機器と宅外ネットワークに接続されるＷｅｂＴＶやＷｅｂカメラなどの宅外装置とを容易に接続することが可能である。
【０１０９】
また、電話機で通話中にテレビ電話を実施する場合に、使用している電話機でテレビ電話を利用するための特定の番号（例えば、＊＊００１など）を入力するだけで、自動的にカメラが起動し、テレビ電話を利用することが可能である。
【実施例３】
【０１１０】
さて、これまで実施例１〜２では、電話機から入力された特番により、テレビ電話などを実施する場合についてしてきたが、本発明はこれに限定されるものではなく、コンテンツサーバなどからコンテンツをダウンロードするようにしてもよい。
【０１１１】
そこで、実施例３では、図８〜図１０を用いて、電話機から入力された特番により、コンテンツサーバなどからコンテンツをダウンロードする場合について説明する。なお、以下では、実施例３に係る通信装置（特番サービス処理装置）の概要および特徴、実施例３に係る通信装置の構成および処理の手順、実施例３の効果を順に説明する。
【０１１２】
［通信装置（特番サービス処理装置）の概要および特徴］
まず、図８を用いて、実施例３に係る特番サービス処理装置（通信装置）の概要および特徴を説明する。図８は、実施例３に係る特番サービス処理装置を含むシステムの全体構成図である。
【０１１３】
図８に示すように、このシステムは、宅内ネットワークとコンテンツサーバとがＩＰ網などのインターネットを介して相互に通信可能に接続される。宅内ネットワークは、特番サービス処理装置と、ＨＧＷと、電話機と、ＤＬＮＡサーバと、ＤＬＮＡ−ＴＶとから構成される。
【０１１４】
このような構成において、宅内ネットワークの特番サービス処理装置は、実施例１と同様に、テンキーで表現される特定の番号に対応付けて、電話機やＷｅｂＴＶなどの宅内装置とＷｅｂサーバなどの宅外装置との通信を制御するための制御情報を特番制御情報ＤＢに記憶する。例を挙げると、特番制御情報ＤＢは、「特定の番号、制御情報」として「＃０１＃＃０００２、ｎｔｔ．ｃｏ．ｊｐのＮｏ．２コンテンツをＤＬＮＡサーバに保存」などと記憶する。
【０１１５】
このような情報を特番制御情報ＤＢに記憶する特番サービス処理装置は、テンキーを備えた電話機からダイアル信号を受け付けた場合に、当該ダイアル信号が、特番制御情報ＤＢに記憶された特定の番号であるか否かを判定する（図８の（１）と（２）参照）。具体的に例を挙げれば、電話機は、利用者からダイアル信号（＃０１＃＃０００２）の入力を受け付けると、ＶｏＩＰ−ＧＷを介して特番サービス処理装置に送信する。そして、当該ダイアル信号を受信した特番サービス処理装置は、当該ダイアル信号が、特番制御情報ＤＢに記憶された特定の番号であるか否かを判定する。この例の場合、特番サービス処理装置は、受信したダイアル番号（＃０１＃＃０００２）を特番制御情報ＤＢに記憶しているので、当該ダイアル番号を特定の番号であると判定する。
【０１１６】
そして、特番サービス処理装置は、特定の番号であると判定された場合に、特番制御情報ＤＢに記憶された制御情報のなかから当該特定の番号に対応付けられた制御情報を取得し、当該制御情報を用いて所定の宅内装置と所定の宅外装置との通信を制御する（図８の（３）と（４）参照）。上記した例で具体的に説明すると、特番サービス処理装置は、受信したダイアル番号（＃０１＃０００２）を特定の番号と判定し、このダイアル番号に対応した制御情報として「ｎｔｔ．ｃｏ．ｊｐのＮｏ．２コンテンツをＤＬＮＡサーバに保存」を取得する。
【０１１７】
そして、特番サービス処理装置は、Ｗｅｂブラウザを起動してＵＲＬが「ｎｔｔ．ｃｏ．ｊｐ」にアクセスし、「Ｎｏ．２コンテンツ」をＤＬＮＡサーバにダウンロードする。
【０１１８】
このように、実施例３に係る特番サービス処理装置は、利用者の負担なく、宅内ネットワークに接続されるＤＬＮＡサーバと宅外ネットワークに接続されるコンテンツサーバとを容易に接続し、コンテンツダウンロードを実施することが可能である。
【０１１９】
［特番サービス処理装置を含むシステムの構成］
次に、図９を用いて、図８に示した特番サービス処理装置を含むシステムの構成を説明する。図９は、実施例３に係る特番サービス処理装置を含むシステムの構成を示すブロック図である。図９に示すように、このシステムは、特番サービス処理装置３０と、ＨＧＷと、電話機（ＶｏＩＰ電話機）と、ＤＬＮＡサーバと、ＤＬＮＡ−ＴＶとから構成される。
【０１２０】
ＨＧＷと、電話機（ＶｏＩＰ電話機）と、ＤＬＮＡサーバと、ＤＬＮＡ−ＴＶとは、「用語の説明」に記述したように、一般的な機能を有するので、ここでは、その詳細な説明は省略する。特番サービス処理装置３０は、通信制御Ｉ／Ｆ部３１と、リモート制御部３２と、サービス中継部３３と、記憶部３４と、制御部４０とから構成される。
【０１２１】
このうち、通信制御Ｉ／Ｆ部３１と、リモート制御部３２と、記憶部３４と、制御部４０のＤＢ更新部４１と特番判定部４２とＶｏＩＰ転送部４３とは、図２で説明した通信制御Ｉ／Ｆ部１１と、リモート制御部１２と、記憶部１４と、制御部２０のＤＢ更新部２１と特番判定部２２とＶｏＩＰ転送部２３と同様の機能を有するので、ここでは、その詳細な説明は省略する。なお、ここでは、図２とは異なる機能を有するサービス中継部３３と、通信制御部４４とについて説明する。
【０１２２】
サービス中継部３３は、ＷｅｂサーバやＷｅｂクライアントとしての機能を有し、インターネットを介して宅外装置に接続する。上記した例で具体的に説明すると、サービス中継部３３は、通信制御部４４によりＷｅｂブラウザが起動されて、ＵＲＬが「ｎｔｔ．ｃｏ．ｊｐ」のサイトにアクセスする。そして、サービス中継部３３は、「ｎｔｔ．ｃｏ．ｊｐ」のサイトの「Ｎｏ．２コンテンツ」を宅内装置である「ＤＬＮＡサーバ」に保存する。
【０１２３】
通信制御部４４は、特番判定部４２により特定の番号であると判定された場合に、特番制御情報ＤＢ３５に記憶された制御情報のなかから当該特定の番号に対応付けられた接続先情報や通信内容などの制御情報を取得し、当該制御情報を用いてＤＬＮＡサーバなどの宅内装置とコンテンツサーバの宅外装置との通信を制御する。上記した例で具体的に説明すると、特番判定部４２により受信されたダイアル番号「＃０１＃＃０００２」が特定の番号であると判定された場合に、通信制御部４４は、このダイアル番号に対応した制御情報として「ｎｔｔ．ｃｏ．ｊｐのＮｏ．２コンテンツをＤＬＮＡサーバに保存」を取得する。続いて、通信制御部４４は、サービス中継部３３に対して、Ｗｅｂブラウザを起動して、ＵＲＬが「ｎｔｔ．ｃｏ．ｊｐ」のサイトにアクセスする。その後、通信制御部４４は、サービス中継部３３のＷｅｂブラウザを用いて、「ｎｔｔ．ｃｏ．ｊｐ」のサイトの「Ｎｏ．２コンテンツ」を宅内装置である「ＤＬＮＡサーバ」に保存する。
【０１２４】
［特番サービス処理装置を含むシステムによる処理］
次に、図１０を用いて、特番サービス処理装置を含むシステムによる処理を説明する。図１０は、実施例３に係る特番サービス処理装置３０を含むシステムによる処理の流れを示すシーケンス図である。
【０１２５】
図１０に示すように、電話機は、特番であるダイアル信号（例えば、＃０１＃＃０００２）の入力を受け付けて、ＶｏＩＰ−ＧＷを介して特番サービス処理装置３０に当該ダイアル信号を送信する（ステップＳ１００１とステップＳ１００２）。
【０１２６】
続いて、当該ダイアル信号を受信した特番サービス処理装置３０の特番判定部４２は、特番制御情報ＤＢ３５を参照して、当該ダイアル信号が特番制御情報ＤＢ３５に記憶された特定の番号であるか否かを判定する（ステップＳ１００３）。
【０１２７】
そして、特定の番号であると判定されると、特番サービス処理装置３０の通信制御部４４は、特番制御情報ＤＢ３５に記憶された制御情報のなかから当該特定の番号（例えば、＃０１＃＃０００２）に対応付けられた制御情報（例えば、ｎｔｔ．ｃｏ．ｊｐのＮｏ．２コンテンツをＤＬＮＡサーバに保存）を取得し（ステップＳ１００４とステップＳ１００５）、サービス中継部３３のＷｅｂブラウザを起動する（ステップＳ１００６とステップＳ１００７）。
【０１２８】
続いて、サービス中継部３３は、コンテンツサーバにアクセスし、コンテンツ要求を送信する（ステップＳ１００８とステップＳ１００９）。そして、コンテンツサーバは、コンテンツ要求を受信し（ステップＳ１０１０）、指定されたコンテンツをサービス中継部３３に配信する（ステップ１０１１）。
【０１２９】
その後、サービス中継部３３は、配信されたコンテンツを受信し（ステップＳ１０１２）、当該コンテンツをＤＬＮＡサーバに保存する（ステップＳ１０１３）。そして、サービス中継部３３は、ＶｏＩＰ−ＧＷを介して、電話機に完了通知を送信する（ステップＳ１０１４とステップＳ１０１５）。
【０１３０】
その後、ＤＬＮＡ−ＴＶは、ＤＬＮＡサーバが記憶するコンテンツを検索し（ステップＳ１０１６）、ＤＬＮＡサーバからコンテンツ一覧を受信する（ステップＳ１０１７）。そして、ＤＬＮＡ−ＴＶは、コンテンツ一覧から視聴するコンテンツを選択することで、コンテンツサーバからＤＬＮＡサーバにダウンロードされたコンテンツを視聴することができる（ステップＳ１０１８）。
【０１３１】
［実施例３による効果］
このように、実施例３によれば、実施例１と２と同様に、利用者の負担なく、宅内ネットワークに接続されるＤＬＮＡサーバなどの宅内機器と宅外ネットワークに接続されるコンテンツサーバなどの宅外装置とを容易に接続することが可能である。
【０１３２】
また、実施例３によれば、実施例１と同様に、よく使用するサービス（例えば、コンテンツダウロードや音楽、映画視聴サービス、テレビ電話など）をあらかじめ特定の番号に対応付けて、記憶させておくことで、手間がかかるＵＲＬ入力やＷｅｂサイトの検索を行うことなく、よく使用するサービスを簡単かつ迅速に実行することが可能である。
【実施例４】
【０１３３】
さて、これまで実施例１〜３では、電話機から入力された電話番号（ダイアル信号）が予め記憶された特番か否かを判定する場合についてしてきたが、本発明はこれに限定されるものではなく、利用者に直接入力された電話番号（ダイアル信号）が予め記憶された特番か否かを判定するようにしてもよい。
【０１３４】
そこで、実施例４では、図１１を用いて、電話番号（ダイアル信号）が予め記憶された特番か否かを判定する場合について説明する。なお、以下では、実施例４に係る通信装置の構成、実施例４の効果を順に説明する。
【０１３５】
［特番サービス処理装置を含むシステムの構成］
図１１を用いて、特番サービス処理装置を含むシステムの構成を説明する。図１１は、実施例４に係る特番サービス処理装置を含むシステムの全体構成図である。特番サービス処理装置を含むシステムの構成を示すブロック図である。図１１に示すように、このシステムは、特番サービス処理装置１００と、ＨＧＷと、電話機（ＶｏＩＰ電話機）と、ＷｅｂＴＶとから構成される。
【０１３６】
ＨＧＷと、電話機（ＶｏＩＰ電話機）と、ＷｅｂＴＶとは、「用語の説明」に記述したように、一般的な機能を有するので、ここでは、その詳細な説明は省略する。特番サービス処理装置１００は、通信制御Ｉ／Ｆ部１０１と、リモート制御部１０２と、サービス中継部１０３と、記憶部１０４と、入力受付部１０６と、制御部１１０とから構成される。
【０１３７】
このうち、通信制御Ｉ／Ｆ部１０１と、リモート制御部１０２と、サービス中継部１０３と、記憶部１０４と、制御部１１０のＤＢ更新部１１１とＶｏＩＰ転送部１１３と通信制御部１１４とは、図２で説明したリモート制御部１２と、サービス中継部１３と、記憶部１４と、制御部２０のＤＢ更新部２１とＶｏＩＰ転送部２３と通信制御部２４と同様の機能を有するので、ここではその詳細な説明は省略する。なお、ここでは、図２とは異なる機能を有する入力受付部１０６と、特番判定部１１２とについて説明する。
【０１３８】
入力受付部１０６は、テンキーを備え、利用者などによる特定の番号の入力を受け付ける。具体的に例を挙げると、電話機などのようなテンキーを備えており、利用者などの操作による「＃０２＊０１＊＊０２」、「＃００＊０２」、「＃０１＃＃０００２」などの入力を受け付けて、受け付けた特定の番号を後述する特番判定部１１２に送信する。
【０１３９】
特番判定部１１２は、テンキーを備えた電話機などの宅内装置からダイアル信号を受け付けた場合や入力受付部１０６によりダイアル信号受け付けた場合に、当該ダイアル信号が、特番制御情報ＤＢ１０５に記憶された特定の番号であるか否かを判定する。上記した例で具体的に説明すると、特番判定部１１２は、テンキーを備えた電話機からダイアル信号として「＃０２＊０１＊＊０２」を受信するか、または、入力受付部１０６が受け付けたダイアル信号「＃０２＊０１＊＊０２」を受信すると、特番制御情報を参照し、当該ダイアル番号が特番制御情報に記憶されていることを根拠に、特定の番号であると判定し、当該判定結果を通信制御部１１４に送信する。一方、特番判定部１１２は、特番制御情報ＤＢ１５に記憶されない「０３−ＸＸＸＸ−ＸＸＸＸ」などのダイアル信号を電話機から受信すると、特定の番号でないと判定し、当該ダイアル信号を後述するＶｏＩＰ転送部１１３に送信する。また、特番判定部１１２は、特番制御情報ＤＢ１５に記憶されない「０３−ＸＸＸＸ−ＸＸＸＸ」などのダイアル信号を入力受付部１０６から受信すると、特定の番号でないと判定し、警告音などを図示しない出力部に出力して処理を終了する。
【０１４０】
［実施例４による効果］
このように、実施例４によれば、特定の番号の入力を受け付けるテンキーを備え、特定の番号を受け付けた場合に、記憶された制御情報のなかから当該特定の番号に対応付けられた制御情報を取得し、当該制御情報を用いて所定の宅内装置と所定の宅外装置との通信を制御するので、宅内ネットワークに接続されるテンキーを備えた装置を使用することなく、直接特定の番号を入力しても、当該特定の番号に対応付けられた制御情報に基づいて、各種制御処理を実行することが可能である。
【０１４１】
例えば、電話機がない場合など、特定の番号を直接入力することで、ＷｅｂＴＶを用いてインターネット接続するなど、宅内ネットワークに接続される機器の各種制御を実行することが可能である。
【実施例５】
【０１４２】
さて、本発明に係る通信装置（特番サービス処理装置）は、記憶する特番と制御情報とを音声によりガイダンスするようにしてもよい。
【０１４３】
そこで、実施例５では、図１２を用いて、記憶する特番と制御情報とを音声によりガイダンスする場合について説明する。なお、以下では、実施例５に係る通信装置の構成、実施例５の効果を順に説明する。
【０１４４】
［特番サービス処理装置を含むシステムの構成］
図１２を用いて、特番サービス処理装置を含むシステムの構成を説明する。図１２は、実施例５に係る特番サービス処理装置を含むシステムの構成を示すブロック図である。図１２に示すように、このシステムは、特番サービス処理装置１２０と、ＨＧＷと、電話機（ＶｏＩＰ電話機）と、ＷｅｂＴＶとから構成される。
【０１４５】
ＨＧＷと、電話機（ＶｏＩＰ電話機）と、ＷｅｂＴＶとは、「用語の説明」に記述したように、一般的な機能を有するので、ここでは、その詳細な説明は省略する。特番サービス処理装置１２０は、通信制御Ｉ／Ｆ部１２１と、リモート制御部１２２と、サービス中継部１２３と、記憶部１２４と、音声出力部１２７と、制御部１３０とから構成される。
【０１４６】
このうち、通信制御Ｉ／Ｆ部１２１と、リモート制御部１２２と、サービス中継部１２３と、記憶部１２４と、制御部１３０とは、図２で説明したリモート制御部１２と、サービス中継部１３と、記憶部１４と、制御部２０と同様の機能を有するので、ここではその詳細な説明は省略する。なお、ここでは、図２とは異なる機能を有する音声出力部１２７について説明する。
【０１４７】
音声出力部１２７は、特番制御情報ＤＢ１２５に記憶される予め定めた特定の番号と、特番制御情報ＤＢ１２５に記憶された当該特定の番号に対応付けられた制御情報とを、音声により読み上げる。具体的に例を挙げると、特番制御情報ＤＢ１２５に記憶された「＃０２＊０１＊＊０２、ＷｅｂＴＶで‘ｘｘ．ｔｏｄａｙｓｎｅｗｓ．ｃｏ．ｊｐ’を表示」や「＃００＊０２、通話先とＴＶ電話」、「＃０１＃＃０００２、ｎｔｔ．ｃｏ．ｊｐのＮｏ．２コンテンツをＤＬＮＡ−ＮＡＳに保存」などを音声により、特番サービス処理装置に備え付けられたスピーカーから出力したり、また、通信制御Ｉ／Ｆ部１２１を介して電話機から出力したりする。
【０１４８】
［実施例５による効果］
このように、実施例５によれば、特番制御情報ＤＢ１２５に記憶される予め定めた特定の番号と、特番制御情報ＤＢ１２５に記憶された当該特定の番号に対応付けられた制御情報とを、音声により読み上げるので、予め定めて記憶させる特定の番号を覚える必要がなく、さらに利用者の負担を軽減することが可能である。
【０１４９】
例えば、入力中に入力すべき番号を忘れてしまった場合など、音声により記憶される特定の番号と制御情報を読み上げることができる結果、思い出して入力する必要がなく、さらに利用者の負担を軽減することが可能である。
【実施例６】
【０１５０】
さて、これまで本発明の実施例について説明したが、本発明は上述した実施例以外にも、種々の異なる形態にて実施されてよいものである。そこで、以下に示すように、（１）デフォルトＵＲＬ、（２）制御情報の種類、（３）特番制御情報ＤＢの外部接続、（４）システム構成等、にそれぞれ区分けして異なる実施例を説明する。
【０１５１】
（１）デフォルトＵＲＬ
例えば、実施例１と２では、特番サービス処理装置は、ＷｅｂＴＶのデフォルトＵＲＬ（最初にアクセスするＵＲＬ）を自装置（特番サービス処理装置）のサービス中継部に設定したが、本発明はこれに限定されるものではなく、ＨＧＷや宅外の他のサーバなど、Ｗｅｂ接続機能を有する装置なら、いずれの装置に設定しても構わない。
【０１５２】
（２）制御情報の種類
また、特番サービス処理装置が記憶する制御情報は、実施例１〜３で「Ｗｅｂ電話」「テレビ電話」「ダウンロード」について説明したが、本発明はこれに限定されるものではなく、例えば、「バックアップなどのプログラム実行」「テレビ欄の表示」など宅内装置同士の接続や宅内と宅外との接続などあらゆる制御情報を記憶し、実行することができる。
【０１５３】
（３）特番制御情報ＤＢの外部接続
また、実施例１〜４では、特番接続情報ＤＢが特番サービス処理装置の内部に接続された場合について説明したが、本発明はこれに限定されるものではなく、特番制御情報ＤＢが宅外ネットワークに接続されていてもよい。図１３を用いて具体的に説明すると、図１０とは異なり、特番接続情報ＤＢ（外部サービスＤＢ）は、宅外ネットワークに接続されており、コンテンツサーバなど各種サービスを提供する装置のＵＲＬを一括で管理する。このような構成において、電話機は、特番であるダイアル信号（例えば、＃０１＃＃０００２）の入力を受け付けて、ＶｏＩＰ−ＧＷを介して特番サービス処理装置に当該ダイアル信号を送信する（ステップＳ１３０１とステップＳ１３０２）。続いて、当該ダイアル信号を受信した特番サービス処理装置は、当該ダイアル信号が特番サービス処理装置の内部に接続されたＤＢに記憶される特定の番号であるか否かを判定する（ステップＳ１３０３）。
【０１５４】
この際に、特番サービス処理装置の内部ＤＢは、宅外ネットワークに接続される外部サービスＤＢから定期的に（例えば、毎朝、毎晩など）コンテンツサーバなどのＵＲＬ情報を受信し、記憶する制御情報を更新する（ステップＳ１３０４〜ステップＳ１３０７）。なお、この更新処理は、特定の番号を受信した場合に限らず、どのタイミングで実施してもよく、また、特番制御情報ＤＢが外部サービスＤＢから取得してもよく、外部サービスＤＢが特番制御情報ＤＢに送信するようにしてもよい。これ以降、コンテンツをダウンロードして視聴するまでの処理（ステップＳ１３０８〜ステップＳ１３２３）は、図１０で説明したステップＳ１００５〜ステップＳ１０１８の処理と同様であるので、ここではその詳細な説明は省略する。
【０１５５】
このようにすることで、登録しておいたコンテンツサーバなどのＵＲＬが変更された場合に、手動で更新する必要がなく、最新のＵＲＬなどの制御情報を取得することができる結果、利用者の負担をさらに削減することが可能である。なお、図４、図１０、図１３では、特番サービス処理装置が特番を判定して、接続元装置と接続先装置とが接続されるまでの処理を一連の流れで説明したが、本発明はこれに限定されるものではなく、必ずしも、特番サービス処理装置が特番を判定して、接続先を指定するタイミングと、実際にＷｅｂＴＶが接続先に接続するタイミングとは、一致する必要はなく、例えば、特番サービス処理装置１０に接続先が設定された後に、何かしらの契機にＷｅｂＴＶのＷｅｂブラウザが起動されたタイミングで、ＷｅｂＴＶと接続先が接続されるようにしてもよい。
【０１５６】
（４）システム構成等
また、上記文書中や図面中で示した処理手順、制御手順、具体的名称、各種のデータやパラメータを含む情報については、特記する場合を除いて任意に変更することができる。例えば、特番制御情報ＤＢは、一般的なテンキーである「０〜９の数字と＊と＃」とを組み合わせたあらゆる特定の番号を記憶し、当該特番に制御情報を対応付けることができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１５７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１５８】
例えば、特番サービス処理装置の構成部の一部（例えば、サービス中継部）を、インターネットを介した宅外の装置（例えば、サービス中継サーバなど）としてよく、また、ＶｏＩＰ転送部と通信制御部とを統合するようにしてもよい。また、特番サービス処理装置をＨＧＷなどの他の装置に組み込んでもよく、逆に、ＨＧＷなどを特番サービス処理装置に組み込んでもよい。
【０１５９】
なお、上記の実施例で説明した各種の処理手順は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【０１６０】
以上のように、本発明に係る通信装置、通信方法および通信プログラムは、宅内ネットワークに接続される宅内装置と宅外ネットワークに接続される宅外装置とを通信可能に接続することに有用であり、特に、利用者の負担なく、宅内ネットワークに接続される宅内機器と宅外ネットワークに接続される宅外装置とを容易に接続することに適する。
【図面の簡単な説明】
【０１６１】
【図１】実施例１に係る特番サービス処理装置を含むシステムの全体構成図である。
【図２】実施例１に係る特番サービス処理装置を含むシステムの構成を示すブロック図である。
【図３】特番制御情報ＤＢに記憶される情報の構成例を示す図である。
【図４】実施例１に係る特番サービス処理装置を含むシステムによる処理の流れを示すシーケンス図である。
【図５】実施例１に係る特番サービス処理装置による処理の流れを示すフローチャートである。
【図６】実施例２に係る特番サービス処理装置を含むシステムの全体構成図である。
【図７】実施例２に係る特番サービス処理装置を含むシステムによる処理の流れを示すシーケンス図である。
【図８】実施例３に係る特番サービス処理装置を含むシステムの全体構成図である。
【図９】実施例３に係る特番サービス処理装置を含むシステムの構成を示すブロック図である。
【図１０】実施例３に係る特番サービス処理装置を含むシステムによる処理の流れを示すシーケンス図である。
【図１１】実施例４に係る特番サービス処理装置を含むシステムの構成を示すブロック図である。
【図１２】実施例５に係る特番サービス処理装置を含むシステムの構成を示すブロック図である。
【図１３】実施例５に係る特番サービス処理装置を含むシステムによる処理の流れを示すシーケンス図である。
【符号の説明】
【０１６２】
１０  特番サービス処理装置
１１  通信制御Ｉ／Ｆ部
１２  リモート制御部
１３  サービス中継部
１４  記憶部
１５  特番制御情報ＤＢ
２０  制御部
２１  ＤＢ更新部
２２  特番判定部
２３  ＶｏＩＰ転送部
２４  通信制御部
３０  特番サービス処理装置
３１  通信制御Ｉ／Ｆ部
３２  リモート制御部
３３  サービス中継部
３４  記憶部
３５  特番制御情報ＤＢ
４０  制御部
４１  ＤＢ更新部
４２  特番判定部
４３  ＶｏＩＰ転送部
４４  通信制御部
１００  特番サービス処理装置
１０１  通信制御Ｉ／Ｆ部
１０２  リモート制御部
１０３  サービス中継部
１０４  記憶部
１０５  特番制御情報ＤＢ
１０６  入力受付部
１１０  制御部
１１１  ＤＢ更新部
１１２  特番判定部
１１３  ＶｏＩＰ転送部
１１４  通信制御部
１２０  特番サービス処理装置
１２１  通信制御Ｉ／Ｆ部
１２２  リモート制御部
１２３  サービス中継部
１２４  記憶部
１２５  特番制御情報ＤＢ
１２７  音声出力部
１３０  制御部
１３１  ＤＢ更新部
１３２  特番判定部
１３３  ＶｏＩＰ転送部
１３４  通信制御部
【図１】
2008085667.tif 000003
【図２】
2008085667.tif 000004
【図３】
2008085667.tif 000005
【図４】
2008085667.tif 000006
【図５】
2008085667.tif 000007
【図６】
2008085667.tif 000008
【図７】
2008085667.tif 000009
【図８】
2008085667.tif 000010
【図９】
2008085667.tif 000011
【図１０】
2008085667.tif 000012
【図１１】
2008085667.tif 000013
【図１２】
2008085667.tif 000014
【図１３】
2008085667.tif 000015